(57)【要約】【課題】  作りたての魚介だしの風味を充分に活かし、一般家庭でも手軽に食すことができるインスタント麺食品の提供。【解決手段】  麺と、スープ入り袋と、乾燥魚介の削り節或いはこの粉砕物を透水性袋に封入してなるだし入り袋とを、一緒に包装容器に収納した構成とする。この際、乾燥魚介として、鰹節、煮干し、鯖節、干し貝柱、干しエビなどの一種又は二種以上を使用したり、だし入り袋を不織布で形成したりする。【選択図】    図１
0003103391.tif 000002
【実用新案登録請求の範囲】
【請求項１】
麺類からなるインスタント食品であって、麺と、スープ入り袋と、乾燥魚介の削り節或いはこの粉砕物を透水性袋に封入してなるだし入り袋とを、一緒に包装容器に収納し提供可能となしたことを特徴とするインスタント麺食品。
【請求項２】
だし入り袋は、不織布で形成され、鰹節、煮干し、鯖節、干し貝柱、干しエビなどの削り節或いは粉砕物の一種又は二種以上をだし素材として封入させてあることを特徴とする請求項１に記載のインスタント麺食品。
【請求項３】
麺はラーメンやうどんであり、半生麺となしてあることを特徴とする請求項２に記載のインスタント麺食品。
【請求項４】
スープ入り袋は、アルミ箔製となし、濃縮たれや油などを封入させてあることを特徴とする請求項３に記載のインスタント麺食品。
【考案の詳細な説明】
【技術分野】
【０００１】
本考案は、麺類からなるインスタント食品に関し、詳しくは、抽出用のだし入り袋を別個装させたインスタント麺食品に関するものである。
【背景技術】
【０００２】
従来より、うどんやラーメンなどの麺類を家庭などで手軽に食せるものとしたインスタント麺食品が広く普及している。一般的なインスタント麺食品は、乾麺、半生麺、生麺或いはゆで麺を凍らせた冷凍麺などと、粉末或いは濃縮たれからなるスープの素とから構成され、これに刻みネギなどの各種具材やラー油、七味或いはコショウなどの各種香味料などを適宜組み合わせたものとなしてある。近年では、各産地の特産物を活かしたご当地ラーメンもインスタント食品として普及し始めている。
【０００３】
このようなうどんやラーメンなどの麺類では、麺のコシや具材の種類も大切であるが、スープの味や香りが最も重要とされる。とりわけ、ラーメンでは、醤油味、味噌味、塩味、豚骨味などを主流とし、スープ全体のコクや風味付けを、肉エキス、魚介エキス、野菜エキス、動植物油などを適宜調合することにより行っている。インスタント麺食品において、これらのスープは、通常、濃縮したり粉末化させ、だしを含めてスープの素として個装され、麺と共に提供されている。
【０００４】
また、特殊な味のラーメンのインスタント食品として、一般的なスープの素とは別に、グルタミンソーダ等の各種調味料と、わさび粉、茶、及び練り梅からなるお茶漬け味添加材とを別々に個装したものを麺と一緒に収納したものがある（例えば、特許文献１参照）。また、漢方薬の成分をスープにブレンドしたものを袋に封入し、生麺、豚肉や豆板醤とセットにしたものもある（例えば、特許文献２参照）。
【０００５】
一方、上記産地の特産物を活かしたラーメンには、スープに小魚によるだしを利用したものがあり、他方、麺と醤油味の小魚だしによる汁とをセットにして提供されるうどんのインスタント食品もある。
【０００６】
しかしながら、上記した各インスタント麺食品では、魚介だしのコクや香りを充分に引き出すことができず、とりわけ作りたての食欲をそそる磯の香りを望むことはできなかった。
【特許文献１】実用新案登録第３０７３７１９号公報
【特許文献２】特開２００２−２９１４２９号公報
【考案の開示】
【考案が解決しようとする課題】
【０００７】
解決しようとする問題点は、従来のインスタント麺食品では、風味ある魚介だしを充分に活かしたものとならず、食欲のそそる香りのスープや汁を味わうことができないことにある。而して、本考案の目的とするところは、作りたての魚介だしの風味を充分に活かし、而も一般家庭でも手軽に食すことができるインスタント麺食品を提供することにある。
【課題を解決するための手段】
【０００８】
本考案は、麺類からなるインスタント食品であって、麺と、スープ入り袋と、乾燥魚介の削り節或いはこの粉砕物を透水性袋に封入してなるだし入り袋とを、一緒に包装容器に収納した構成となす。
【０００９】
この際、上記だし入り袋は、不織布で形成され、鰹節、煮干し、鯖節、干し貝柱、干しエビなどの削り節或いは粉砕物の一種又は二種以上をだし素材として封入させたものとなしてある。
【００１０】
また、麺はラーメンやうどんで、半生麺となしたり、スープ入り袋は、アルミ箔製となし、濃縮たれや油などを充填封入させてある。
【考案の効果】
【００１１】
本考案のインスタント麺食品では、魚介だしを食する間際に抽出させてスープや汁をつくるので、香りがよく、魚介だしのよく効いた完成品を提供することができる。これにより、一般家庭でも、専門店の風味を手軽に味わえるものとなる。また、だし入り袋は、不織布で作成した透水性袋内に各種乾燥魚介の削り節や粉砕物を充填封入させたものとなしてあるので、だしの抽出を効率良く簡便に行えるほか、風味豊かなスープや汁がこのだし液にスープ素材などを混ぜるだけで簡単に作成することができる。また、だしを抽出し終えただし入り袋は、そのまま捨てることができるので周囲を汚すこともないので簡便に扱える。
【考案を実施するための最良の形態】
【００１２】
以下、本考案に係るインスタント麺食品を図面を参照して説明する。
図１は、本考案に係るインスタント麺食品の包装容器から内容物を取り出した状態を示す斜視図であり、１は包装容器、２はだし入り袋、３は麺、４はスープ入り袋である。
【００１３】
包装容器１は、特に制限されるものではなく、内容物の長期保存を可能とするポリエチレン製袋やアルミ箔製袋、或いは贈答品用に化粧箱などを用い、一食分の麺食品を収納させるものとなしてある。  
【００１４】
だし入り袋２は、図２に示す如く、透水性袋２ａで形成され、中に乾燥魚介の削り節２ｂやその粉砕物２ｃを充填封入させている。透水性袋２ａは、特に制限されるものではないが、不織布やポリエチレンネットなどで形成され、一食分用としては数ｃｍ角程度の方形体になされる。ここに、上記だし素材２ｂ、２ｃが透水性袋２ａ内に充填封入されたことにより、一般的には手間のかかるだし取りが、お湯の中に該袋２を投入し、一定時間煮沸させた後に取り出すだけの極めて簡単な作業で可能になる。また、透水性袋２ａを不織布で形成したものは、袋２ａ内の魚介の削り節２ｂや粉砕物２ｃから生じる小片がだし汁中に透過しないので、混入物のない澄んだだし汁をつくることができる。
【００１５】
上記だし入り袋２に充填される乾燥魚介としては、鰹節、煮干し、鯖節、干し貝柱、干しエビなどが挙げられ、だしが抽出しやすいように削ったり粉砕した状態で充填封入されている。これら乾燥魚介は、スープや汁の風味を最大限に引き出すように一種又は２種以上を適宜組み合わせて用いるものとする。一食分のだし素材２ｂ、２ｃの分量は、一般的なもので３〜５ｇ程度である。
【００１６】
麺３は、ラーメン、うどんなどであり、乾麺、生麺、半生麺或いはゆで麺を凍らせた冷凍麺であってもよい。とりわけ、半生麺を用いたものは、安定した状態で長期に保存できるほか、専門店の味わいを再現する上で好ましい。この際、麺３は、衛生面及び乾燥防止の点からポリエチレン製袋３ａなどに入れて真空密封させるとよい。
【００１７】
スープ入り袋４は、一食分のスープや汁を濃縮させた濃縮たれが充填封入されている。該袋４をアルミ箔で形成したものは、内容物を光による酸化から保護できるので、動植物油などが含有されるラーメン用スープを充填させるのに適している。ここに、充填されるスープ素材は、各種調味料、肉エキス、魚介エキス及び野菜エキスなどであり、また各種調味料としては、醤油、味噌、食塩、カレー粉、砂糖及びみりんなどが挙げられる。これらスープ素材は、通常、一食分を１０〜５０ｇ程度の濃縮たれに濃縮されている。
【００１８】
本考案では、夫々れ上記の如く作成しただし入り袋２、麺３及びスープ入り袋４をセットにして包装容器１に収納し提供するものとなしてある。この際、これら収納物のほかに、麺用具材として、乾燥ネギ、蒲鉾、チャーシュー、メンマ、コーンなどを小袋に充填したものや、香味料として、七味、コショウ、ラー油などを小袋に充填したものを収納させるものとなしてもよい。
【００１９】
上記の如く構成される本考案のインスタント麺食品を食する場合、まず包装容器１からだし入り袋２、麺３及びスープ入り袋４などを取り出し、スープは、だし入り袋２を鍋で沸騰させたお湯の中に入れて、適宜時間煮沸させた後、だし入り袋を取り出し、この中にスープ入り袋４から濃縮たれや油などを添加して作成し、麺３は、スープとは別に、別鍋で沸騰させたお湯の中でほぐしながら適宜茹でておく。次いで、丼にスープを注ぎ、その中へ茹でた麺をお湯を切って投入し、好みに応じて、具材を載せて食するものとする。
【００２０】
以下、本考案の実施例について説明するが、本考案はこれらの実施例に限定されるものではない。
【実施例１】
【００２１】
半生ラーメン玉１２０ｇをポリエチレン製袋に入れて真空密封したものと、醤油をベースにした各種エキスが配合された濃縮たれ及び豚の背油を含有させた凡そ６０ｇのスープ入り袋と、凡そ５ｇの鰹節と煮干しの粉砕物を含有させた不織布製だし入り袋と、乾燥ネギ入り小袋と、メンマ、チャーシューを夫々れ真空包装させたポリエチレン製小袋とを一緒にアルミ箔製袋に収納させる。
【実施例２】
【００２２】
半生うどん玉１２０ｇをポリエチレン製袋に入れたものと、ポリエチレン製袋に醤油をベースとした凡そ８０ｇ程度の濃縮麺汁と、凡そ５ｇの鰹節と煮干しの粉砕物を含有させた不織布製だし入り袋と、乾燥ネギ入り小袋と、七味入り小袋と、味付け油揚げを真空密封させたものとを、一緒にポリエチレン製袋に収納させる。
【図面の簡単な説明】
【００２３】
【図１】本考案に係るインスタント麺食品の包装容器から内容物を取り出した状態を示す斜視図である。
【図２】本考案に係るだし入り袋の断面図である。
【符号の説明】
【００２４】
１      包装容器
２      だし入り袋
２ａ    透水性袋
２ｂ    削り節
２ｃ    粉砕物
３      麺
３ａ    袋
４      スープ入り袋
【図１】
0003103391.tif 000003
【図２】
0003103391.tif 000004